(57)【要約】【課題】複数の光ビームを用いた画像形成装置であって、コストを抑え、ページ間で主走査倍率補正を実施する場合でも画像形成のための印刷の生産性を落とすことのないような画像形成装置を提供すること。【解決手段】高周波クロックを発生する手段と、前記高周波クロックを発生する手段から発生した高周波クロックを分周し、画素クロックとして、基準周期、基準周期より短い周期、基準周期より長い周期のクロックのいずれか１つを指定できる画素クロック発生手段と、前記画素クロック発生手段からの指定されたクロックを入力して前記画素クロックに同期した信号を発生する手段と、前記画素クロック発生手段に対して、１画素毎に指定情報を制御する手段とを有することを特徴とする前記高周波クロックを発生する手段を共通化した画素クロック生成部およびこれを有する画像形成装置。【選択図】        図３
2004181833.tif 000002
【特許請求の範囲】
【請求項１】
高周波クロックを発生する手段と、
前記高周波クロックを発生する手段から発生した高周波クロックを分周し、画素クロックとして、基準周期、基準周期より短い周期、基準周期より長い周期のクロックのいずれか１つを指定できる画素クロック発生手段と、
前記画素クロック発生手段からの指定されたクロックを入力して前記画素クロックに同期した信号を発生する手段と、
前記画素クロック発生手段に対して、１画素毎に指定情報を制御する手段と、を有することを特徴とする前記高周波クロックを発生する手段を共通化した画素クロック生成部。
【請求項２】
複数の光源から発生される複数の各光ビームを画像信号によって変調する手段と、主走査ラインの基準となる同期検知信号を生成する先端同期検知手段と、１ラインの後端の位置を検出する後端同期検知手段を有し、前記複数の光ビームを、スキャナ光学系を介して感光体上に照射することにより感光体上に画像を形成し、先端同期検知信号と後端同期検知信号間を測定し、得られた測定結果によって主走査倍率補正を行う画像形成装置において、
基準クロックから設定値に応じた高周波クロックを発生する手段と、
前記高周波クロックを発生する手段から発生した高周波クロックを分周し、画素クロックとして、基準周期、基準周期より短い周期、基準周期より長い周期のクロックのいずれか１つを指定できる画素クロック発生手段と、
前記画素クロック発生手段に対して、１画素毎に指定情報を制御する手段を有し、
前記高周波クロック発生手段は複数の光ビームで共通であり、
前記画素クロック制御手段は、同期検知信号をトリガに、基準周期でない画素クロックを挿入する画素数、挿入間隔を制御し、主走査方向の倍率補正は、各光ビーム毎に１ライン中に挿入する基準周期でない画素クロックの画素数、間隔を調整する制御を行うことを特徴とする画像形成装置。
【請求項３】
請求項２において、前記が造形性装置は、さらに画素クロック制御手段の主走査制御開始位置を１ライン毎に変動させる手段を有し、
前記変動させる手段は、基準周期でない画素が副走査方向に連続しないようにすることを特徴とする画像形成装置。
【請求項４】
請求項２〜３において、先端同期検知信号と後端同期検知信号の間隔を計測するクロックは前記高周波クロックとすることを特徴とする画像形成装置。
【請求項５】
請求項２〜３において、主走査方向の倍率補正を実施する前に、基準色にて高周波クロック周波数を調整することを特徴とする画像形成装置。
【請求項６】
請求項２〜３において、ページ間で主走査方向の倍率補正を実施する場合には、基準色も多色と同様に、基準周期でない画素クロックを挿入する画素数、挿入間隔を制御する主走査方向の倍率補正を行うことを特徴とする画像形成装置。
【発明の詳細な説明】
【０００１】
【発明の属する技術分野】
本発明は、画素クロック生成部および画像形成装置に関する。
【０００２】
【従来の技術】
従来のカラー画像形成装置においては、複数の光ビームごとにＰＬＬを搭載しているためコストアップとなる。これは、各光ビーム毎に周波数が異なるために、そのビーム毎にＰＬＬを搭載する必要があるが、共通化したＰＬＬを用いる発明は注目されていなかった。また、主走査倍率補正を行う場合には、ＰＬＬの周波数を変更して行っているため、ページ間で主走査倍率補正を実施する場合には、ある程度の時間が必要となり、画像形成の生産性を落とすことになる。
また、従来の画像形成装置では、基準周期でない画素が副走査に連続してしまうので、極端な場合、画像が縦スジ状に現れて見えてしまうことがあった。
【０００３】
【特許文献１】
特開２０００−２２１４３１号公報
【特許文献２】
特開２０００−２２１７５８号公報
【特許文献３】
特開２００２−１６０３９９号公報
【０００４】
【発明が解決しようとする課題】
本発明は、従来技術の有する上記した問題点に鑑みてなされたものであって、複数の光ビームを用いた画像形成装置であって、コストを抑え、ページ間で主走査倍率補正を実施する場合でも画像形成のための印刷の生産性を落とすことのないような画像形成装置を提供することを目的とする。
【０００５】
【課題を解決するための手段】
請求項１に記載の画素クロック生成部の発明は、高周波クロックを発生する手段と、前記高周波クロックを発生する手段から発生した高周波クロックを分周し、画素クロックとして、基準周期、基準周期より短い周期、基準周期より長い周期のクロックのいずれか１つを指定できる画素クロック発生手段と、前記画素クロック発生手段からの指定されたクロックを入力して前記画素クロックに同期した信号を発生する手段と、前記画素クロック発生手段に対して、１画素毎に指定情報を制御する手段とを有することを特徴とし、前記高周波クロックを発生する手段を共通化する。
【０００６】
請求項２に記載の画像形成装置の発明は、複数の光源から発生される複数の各光ビームを画像信号によって変調する手段と、主走査ラインの基準となる同期検知信号を生成する先端同期検知手段と、１ラインの後端の位置を検出する後端同期検知手段を有し、前記複数の光ビームをスキャナ光学系を介して感光体上に照射することにより感光体上に画像を形成し、先端同期検知信号と後端同期検知信号間を測定し、得られた測定結果によって主走査倍率補正を行う画像形成装置において、基準クロックから設定値に応じた高周波クロックを発生する手段と、前記高周波クロックを発生する手段から発生した高周波クロックを分周し、画素クロックとして、基準周期、基準周期より短い周期、基準周期より長い周期のクロックのいずれか１つを指定できる画素クロック発生手段と、前記画素クロック発生手段に対して、１画素毎に指定情報を制御する手段を有し、前記高周波クロック発生手段は複数の光ビームで共通であり、前記画素クロック制御手段は、同期検知信号をトリガに、基準周期でない画素クロックを挿入する画素数、挿入間隔を制御し、主走査方向の倍率補正は、各光ビーム毎に１ライン中に挿入する基準周期でない画素クロックの画素数、間隔を調整する制御を行うことを特徴とする。
【０００７】
請求項３に記載の画像形成装置の発明は、請求項２において、前記が造形性装置は、さらに画素クロック制御手段の主走査制御開始位置を１ライン毎に変動させる手段を有し、前記変動させる手段は、基準周期でない画素が副走査方向に連続しないようにすることを特徴とする。
【０００８】
請求項４に記載の画像形成装置の発明は、請求項２〜３において、先端同期検知信号と後端同期検知信号の間隔を計測するクロックは前記高周波クロックとすることを特徴とする。
【０００９】
請求項５に記載の画像形成装置の発明は、請求項２〜３において、主走査方向の倍率補正を実施する前に、基準色にて高周波クロック周波数を調整することを特徴とする。
【００１０】
請求項６に記載の画像形成装置の発明は、請求項２〜３において、ページ間で主走査方向の倍率補正を実施する場合には、基準色も多色と同様に、基準周期でない画素クロックを挿入する画素数、挿入間隔を制御する主走査方向の倍率補正を行うことを特徴とする。
【００１１】
【発明の実施の形態】
図１は本発明の１実施形態に関わる画像形成装置の全体を説明する図である。
電子写真方式でカラー画像を形成する画像形成装置に採用されている作像プロセスには種々の方式のものが知られている。その１つにタンデムタイプと称される方式がある。この方式は、作像する色毎に感光体と、感光体に対する作像プロセス要素を備え、これらの感光体および作像プロセス要素を中間転写体や用紙搬送ベルトに沿って配置して各色毎に形成された画像を中間転写体上で重ね合わせ、重ね合わされたフルカラー画像を印刷するための用紙に１度に転写したり、用紙搬送ベルトによって搬送される用紙が前記各感光体の転写プロセスを通過するたびにその感光体上に形成された色の画像を転写し、すべての転写ステーションを通過させてフルカラー画像を形成するというものである。
【００１２】
図１は、このようなタンデムタイプのカラー画像形成装置の構成を示している。
同図において、各々異なる色（イエロー：Ｙ、マゼンタ：Ｍ、シアン：Ｃ、ブラック：Ｋ）の画像を形成する画像形成部１００Ｙ、１００Ｍ、１００Ｃ、１００Ｋが、転写紙１を搬送する搬送ベルト２に沿って、搬送方向上流側に一列に配置されている。
搬送ベルト２は、一方が駆動回転する駆動ローラと、他方が従動回転する従動ローラである搬送ローラ３、４との間に張設されており、駆動側の搬送ローラ３の回転により矢印方向に回転駆動される（図１では、反時計方向の回転）。
搬送ベルト２の下部には、転写紙１が収納された給紙トレイ５が備えられている。収納された転写紙１のうち最上位置にある転写紙は、画像形成時には給紙され、静電吸着によって搬送ベルト２上に吸着される。吸着された転写紙１は、第１の画像形成部（イエロー）１００Ｙに搬送され、ここでイエローの画像形成が行われる。
【００１３】
第１の画像形成部（イエロー）は、感光体ドラム６Ｙと感光体ドラム６Ｙの周囲に配置された帯電器７Ｙ、露光器８、現像器９Ｙ、感光体クリーナ１０Ｙから構成されている。
感光体ドラム６Ｙの表面は、帯電器７Ｙで一様に帯電された後、露光器８によりイエローの画像に対応したレーザ光１１Ｙで露光され、静電潜像が形成される。感光ドラム６Ｙ上に形成された静電潜像は現像器９Ｙで現像され、感光体ドラム６Ｙ上にトナー像が形成される。このトナー像は感光体ドラム６Ｙと搬送ベルト２上の転写紙１と接する位置（転写位置）で転写器１２Ｙによって転写され、転写紙１上に単色（イエロー）の画像を形成する。転写が終わった感光体ドラム６Ｙは、ドラム表面に残った不要なトナーを感光体クリーナ１０Ｙによってクリーニングされ、次の画像形成に備えることとなる。
【００１４】
このようにして第１の画像形成部（イエロー）１００Ｙで単色（イエロー）を転写された転写紙１は、搬送ベルト２によって第２の画像形成部（マゼンタ）１００Ｍに搬送される。ここでも、同様に感光体ドラム６Ｍ上に形成されたトナー像（マゼンタ）は、転写紙１上に重ねて転写される。転写紙１は、さらに第３の画像形成部（シアン）１００Ｃ、第４の画像形成部（ブラック）１００Ｋに搬送され、同様に形成されたＭ、Ｃ、Ｋのトナー像が順に転写されてカラー画像を形成してゆく。
【００１５】
第４の画像形成部１００Ｋを通過してカラー画像が形成された転写紙１は、搬送ベルト２から剥離され、定着器１３にて定着された後、排紙される。なお、以下の説明では、第２ないし第４の画像形成部１００Ｍ、１００Ｃ、１００Ｋの各作像プロセス要素は、第１の画像形成部１００Ｙと色を示す添字（Ｍ、Ｃ、Ｋ）を変えて示し、重複する各部の説明は省略する。
【００１６】
図２は前記露光器８を構成する光学ユニットを上から見た概略図である。
同図において、ＬＤユニットＢＫ１６（ＢＫ：ブラック）およびＬＤユニットＹ１７（光ビームを画像信号によって変調する手段：他のＬＤユニットも同様）からの光ビームは、シリンダレンズＣＹＬ＿ＢＫ１８、ＣＹＬ＿Ｙ１９を通り、反射ミラーＢＫ２０および反射ミラーＹ２１によってポリゴンミラー２２の下部側の面に入射し、ポリゴンミラー２２が回転することにより光ビームを偏向し、ｆθレンズＢＫＣ２３およびｆθレンズＹＭ２４を通り、第１ミラーＢＫ２５および第１ミラーＹ２６によって折り返される。
一方、ＬＤユニットＣ２７およびＬＤユニットＭ２８からの光ビームは、ＣＹＬ＿Ｃ２９およびＣＹＬ＿Ｍ３０を通り、ポリゴンミラー２２上部側の面に入射し、ポリゴンミラー２２が回転することにより光ビームを偏向し、ｆθレンズＢＫＣ２３およびｆθレンズＹＭ２４を通り、第１ミラーＣ３１および第１ミラーＭ３２によって折り返される。
【００１７】
主走査方向の書き出し位置より上流側にはシリンダミラーＣＹＭ＿ＢＫＣ３３およびＣＹＭ＿ＹＭ３４さらには先端同期検知手段のセンサＢＫＣ３５およびセンサＹＭ３６が備わっており、ｆθレンズＢＫＣ２３およびｆθレンズＹＭ２４を通った光ビームがＣＹＭ＿ＢＫＣ３３およびＣＹＭ＿ＹＭ３４によって反射集光されて、センサＢＫＣ３５およびセンサＹＭ３６に入射するような構成となっている。これらのセンサＢＫＣ３５、ＹＭ３６は、主走査方向の同期を取るための同期検知センサである。また、主走査方向の画像領域より下流側に、前記上流側と同様にシリンダミラーＣＹＭ＿ＢＫＣ３７およびＣＹＭ＿ＹＭ３８さらには後端同期検知手段のセンサＢＫＣ３９およびセンサＹＭ４０が備わっており、ｆθレンズＫＣ８２３およびｆθレンズＹＭ２４を通った光ビームがＣＹＭ＿ＢＫＣ３７およびＣＹＭ＿ＹＭ３８によって反射集光されて、センサＢＫＣ３９およびセンサＹＭ４０に入射するような構成となっている。
【００１８】
また、ＬＤユニットＢＫ１６およびＬＤユニットＣ２７からの光ビームでは、書き出し側では共通のＣＹＭ＿ＢＫＣ３３ならびにセンサＢＫＣ３５、終了側では共通のＣＹＭ＿ＢＫＣ３７ならびにセンサＢＫＣ３９（後端同期検知手段）を使用している。ＬＤユニットＹ１７およびＬＤユニットＭ２８についても同様である。同じセンサに２色の光ビームが入射することとなるので、各色の光ビームのポリゴンミラー２２の入射角を異なるようにすることで、それぞれの光ビームが各センサに入射するタイミングを変え、時系列的にパルス列として出力されるようになっている。図からも分かるように、ＢＫとＣの組と、ＹとＭとの組とは、逆方向に走査される。
【００１９】
図１０は従来の画素クロック生成部である。
各色毎にＰＬＬ部（５１）を有し、ＰＬＬ部（５１）では、基準クロック（ＲＥＦＣＬＫ）をＭ分周した信号と、各色画素クロック（＊＿ＷＣＬＫ）をＮ分周した信号を位相比較器＋ＬＰＦ＋ＶＣＯ（５３）に入力し、各色高周波クロック（＊＿ＰＬＬＣＬＫ）を生成する。同期検知センサからの各色同期検知信号（＊＿ＤＥＴＰ＿Ｎ）を基準として、高周波クロックをＫ分周し、画素クロック（＊＿ＷＣＬＫ）を生成し、画素クロックに同期した内部同期信号（＊＿ＰＳＹＮＣ＿Ｎ）  を生成する。各色の画像形成部はこの画素クロック、内部同期信号で動作することになる。
画素クロック周波数（ｆＷＣＬＫ）は
ｆＷＣＬＫ＝（ｆＲＥＦＣＬＫ／Ｍ×Ｎ）／Ｋ
となる。
【００２０】
主走査の倍率補正を行う場合は、前記２つの同期検知センサの通過時間を画素クロックによりカウントすることによって計測し、それらのカウント値と予め設定された基準カウント値とが一致するように、ＭとＮの値を調整することにより、画素クロック周波数の変更を行う。本発明では、この倍率補正点は同様である。
各色毎に異なる周波数を有するために、従来、別々のＰＬＬ部を持っており、これがコストアップの要因となっている。特に逓倍数を変更した場合には、ＰＬＬは周波数が安定するのに時間がかかるため、ページ間で倍率補正を実施するような場合には、ページ間を十分にとらなければならないため、印刷の生産性が落ちることになる。
【００２１】
次に本発明の画像形成装置に使用される画素クロック生成部を、図４を用いて説明する。
図３において、ＰＬＬ部５１（高周波クロックを発生する手段）は公知のＰＬＬ装置と同じ構成のものが採用されるが、本発明で使用されるＰＬＬ部５１は、各色で共通に使用することができる。
ＰＷＭクロック生成部５７（画素クロック発生手段）では、ＰＬＬ部５１からの高周波クロック（ＰＬＬＣＬＫ）を分周し、画素クロック（ＷＣＬＫ）を生成するが、入力されるデータ（ＰＷＭＤＡＴ）に応じて、基準周波数、基準周波数より短い周期、基準周波数より長い周期のうちどれを出力するかを選択できる構成となっている。
図４はＰＷＭクロックを生成する場合の一実施例を示したタイミングチャートである。
【００２２】
例えば、画素クロック（ＷＣＬＫ）の基準周波数はＰＬＬＣＬＫを８分周したクロックとすると、図４に示すように、ＤＥＴＰ＿Ｎの立ち下がりを基準として、画素クロックを生成するカウンタが動作するが、入力データ（ＰＷＭＤＡＴ［１：０］）  が‘０ｈ（ゼロｈ）’の場合は８分周、‘１ｈ’の場合は９分周（前記０ｈより、１分周多い）、‘２ｈ’の場合は７分周（０ｈより１分周少ない：図４の「−１／８画素クロック」の部分参照）となる。この画素クロック（ＷＣＬＫ）で最終的にレーザを駆動するので、‘１ｈ’が入力された画素は１／８  画素クロック分長くなり、‘２ｈ’が入力された画素は１／８  画素クロック分短くなる。
【００２３】
内部同期信号生成部５６（画素クロックに同期した信号を発生する手段）では画素クロックに同期した主走査同期検知信号（ＰＳＹＮＣ＿Ｎ）  を生成する。ＰＷＭデータ制御部５８（１画素毎に指定情報を制御する手段）では、ＰＷＭＤＡＴ［１：０］  を制御する。図５はＰＷＭデータ制御部５８の一実施例を示したブロック図であり、図７はＰＷＭデータ制御のタイミングチャートである。
ＰＷＭデータ制御部５８は、メインＣＰＵ（不図示）から１ライン中に挿入する図７に示すような、基準周波数でない画素のパルス数（Ａ）、挿入間隔（Ｂ）、データ（Ｃ）を設定できるものとする。内部同期検知信号（ＰＳＹＮＣ＿Ｎ）  が入力されると、周期カウンタ（６０：先端同期検知手段）ではＷＣＬＫをカウントし、挿入間隔（Ｂ）と等しくなった時にＤＰＰＬＳ  を出力し、周期カウンタはリセットし、再びカウントＵＰ（計数の開始）を行う。パルス数カウンタ（６１：後端同期検知手段）は、ＤＰＰＬＳ  をカウントし、パルス数（Ａ）と等しくなった時に停止する。ＰＷＭデータ出力部６２では、ＤＰＰＬＳ  が’１’になった時にデータ（Ｃ）をＰＷＭＤＡＴ［１：０］  として出力する。
【００２４】
従来の例では、２つの同期検知センサの通過時間を画素クロックでカウントしているが、本発明の装置では、高周波クロック（ＰＬＬＣＬＫ）でカウントして測定し、カウント値と予め設定された基準カウント値の差をＡ，Ｂ，Ｃに反映することで、主走査の倍率を補正することができるようにした。
主走査倍率補正のフローチャートを図９に示す。倍率補正を行う場合、まず基準色にて、２つの同期検知間をＰＬＬＣＬＫで測定する。基準色を黒とすると、黒の測定値と基準値が一致するようにＭ、Ｎの値を変更して、倍率を調整する。
次に、多色（マゼンタ、シアン、イエロー）の同期検知間測定を行い、例えば、マゼンタの測定値が基準値に対して、４個多かった場合は、基準に対して４／８画素だけ短いので、４／８画素増やせば倍率が合うことになり、Ａ＝４、Ｃ＝１を設定する。Ｂの値は、１ラインの総画素数から１ライン中に４個入れる場合に最適な間隔を設定する。例えば、総画素数が  １００００画素の場合には、２５００画素に１回の間隔で挿入すれば良いのでＢ＝２５００となる。この動作を、シアン、イエローも実施すれば各色の倍率が補正できる。
【００２５】
ページ間で倍率補正を行う場合には、ＰＬＬの周波数を変更するとページ間が長くなってしまうので、高周波クロックは変更せず、黒についても、多色と同様にＡ，Ｂ，Ｃの値を調整する。
【００２６】
次に第２実施形態（請求項３）について説明する。
図６はＰＷＭデータ制御部５８の例を示したブロック図であり、その他の構成は、前記第１実施形態の画像装置と同様である。また図８は、この図６のＰＷＭデータ制御部５８を用いた場合のＰＷＭデータ制御のタイミングチャートである。
第１実施形態（請求項２）では、１／８画素だけ増やした画素または減らした画素を挿入する位置が、各ラインで同じになるが、本実施形態では、画像によって縦スジとして目立たないように設計した。そのために、本実施形態では、ライン毎に同じ位置にならないように、スタート位置制御部６３（１ライン毎に変動させる手段）ではＰＷＭデータ制御の開始位置を変動させる構成にしている。メインＣＰＵからは、シフト幅（Ｄ）、シフト上限（Ｅ）を設定し、１ライン毎にスタート位置をＤ画素分シフトしていく。シフト量を加算していき、Ｅを越えた場合は、越えた差分をスタート位置とする。
【００２７】
【発明の効果】
請求項１の画素クロック生成部は、高周波クロックを発生する手段を共通化したので、従来、色毎に周波数が異なって高周波クロック発生回路（たとえばＰＬＬ回路）を色毎に設けることができなかったが、共通化することによって、コストアップの問題、印刷の生産性の上がる画像形成装置に用いられる回路を提供することが可能となった。
【００２８】
請求項２の画像形成装置においては、複数の光ビームの画素クロック生成部で共通のＰＬＬを使用しているので、低コスト化が図れる。
しかも、ページ間で主走査倍率補正を行う場合も、ＰＬＬの周波数を変更せずに実施することができるので、通常と同じページ間隔で印字でき、印刷の生産性（印刷スピード、画質の低下を含む）を落とすことはない。
【００２９】
請求項３〜６に記載の画像形成装置においては、ライン毎にＰＷＭデータ制御の開始位置を変動させる構成にしているので、画質を向上することができる。
【図面の簡単な説明】
【図１】本発明の画像形成装置の全体の構成を示す図である。
【図２】露光器を構成する光学ユニットの構成を上から見た図である。
【図３】本発明の高周波クロックを発生する手段（ＰＬＬ回路）を共通化した画素クロック生成部の構成を示す図である。
【図４】本発明の画素クロック生成部（第１実施形態）の動作例を示すタイミングチャートを示す図である。
【図５】本発明の画素クロック生成部に使用される１画素毎に指定情報を制御する手段（ＰＷＭデータ制御部）の構成例を示す図である。
【図６】本発明の画素クロック生成部に使用される１画素毎に指定情報を制御する手段の他の構成例（第２実施形態）を示す図である。
【図７】１画素毎に指定情報を制御する手段（ＰＷＭデータ制御部：第１実施形態で使用される）の動作例を示すタイミングチャートである。
【図８】他の１画素毎に指定情報を制御する手段（ＰＷＭデータ制御部：第２実施形態で使用される）の動作例を示すタイミングチャートである。
【図９】本発明の画像形成装置の操作の流れの一例を示すフローチャートである。
【図１０】従来の画素クロック生成部の構成を示す図である。
【符号の説明】
１６  ＬＤユニットＢＫ（光ビームを画像信号によって変調する手段）
１７  ＬＤユニットＹ（光ビームを画像信号によって変調する手段）
２７  ＬＤユニットＣ（光ビームを画像信号によって変調する手段）
２８  ＬＤユニットＭ（光ビームを画像信号によって変調する手段）
３５  センサＢＫＣ（先端同期検知手段）
３６  センサＹＭ（先端同期検知手段）
３９  センサＢＫＣ（後端同期検知手段）
４０  センサＹＭ（後端同期検知手段）
５１  ＰＬＬ部（高周波クロックを発生する手段）
５６  内部同期信号生成部（画素クロックに同期した信号を発生する手段）
５７  ＰＷＭクロック生成部（画素クロック発生手段）
５８  ＰＷＭデータ制御部（１画素毎に指定情報を制御する手段）
６０  周期カウンタ
６１  パルス数カウンタ
６２  ＰＷＭデータ出力部
６３  スタート位置制御部
【図１】
2004181833.tif 000003
【図２】
2004181833.tif 000004
【図３】
2004181833.tif 000005
【図４】
2004181833.tif 000006
【図５】
2004181833.tif 000007
【図６】
2004181833.tif 000008
【図７】
2004181833.tif 000009
【図８】
2004181833.tif 000010
【図９】
2004181833.tif 000011
【図１０】
2004181833.tif 000012